(57)【要約】【課題】部品点数や工数の削減が図れ、ネットワーク電子部品及びスピーカー装置用コネクタ端子を固定可能なスピーカー装置用構成部品を有するスピーカー装置を提供する。【解決手段】スピーカー装置は、スピーカーユニットと、それに取り付けられるスピーカー装置用ブラケットを備え、スピーカー装置用ブラケットは、コンデンサ等のネットワーク電子部品を固定するコンデンサ固定部と、アンプ側及びボイスコイル側と夫々電気的に接続される、スピーカー装置用のコネクタ端子を固定するコネクタ端子固定部と、を備えている。よって、コンデンサ及びコネクタ端子の両方を１つの専用部品たるスピーカー装置用構成部品を用いてスピーカーユニットに固定することができ、スピーカー装置の部品点数及び工数の削減を図ることができる。また、それらの固定部をスピーカー装置用ブラケットの適切な位置に設けることで、ネットワーク電子部品等の搭載自由度を向上させることができる。【選択図】図２
2008005372.tif 000002
【特許請求の範囲】
【請求項１】
スピーカーユニットと、
前記スピーカーユニットに取り付けられるスピーカー装置用構成部品を備え、
前記スピーカー装置用構成部品は、ネットワーク電子部品を固定するネットワーク電子部品固定部と、スピーカー装置用のコネクタ端子を固定するコネクタ端子固定部と、を備えていることを特徴とするスピーカー装置。
【請求項２】
前記スピーカー装置用構成部品は、スピーカー装置用の配線を固定する配線固定部を有することを特徴とする請求項１に記載のスピーカー装置。
【請求項３】
前記スピーカーユニットは、ボイスコイルと電気的に接続されたスピーカー装置用端子を有し、
前記配線固定部は、前記スピーカー装置用端子、前記ネットワーク電子部品固定部及び前記コネクタ端子固定部の各々の近傍位置に設けられていることを特徴とする請求項２に記載のスピーカー装置。
【請求項４】
前記スピーカーユニットは、当該スピーカーユニットの周方向に対する前記スピーカー装置用構成部品の位置出しを行う機能を有する異型磁性体を含む磁気回路を備え、
前記スピーカー装置用構成部品の内側部分は、前記異型磁性体と嵌合する形状に形成されていることを特徴とする請求項１乃至３のいずれか一項に記載のスピーカー装置。
【請求項５】
前記スピーカー装置用構成部品は、前記異型磁性体と前記内側部分とが嵌合した状態で放音側と逆側に位置する前記磁気回路の少なくとも一部を覆う位置に配置され、前記スピーカーユニットに取り付けられていることを特徴とする請求項４に記載のスピーカー装置。
【発明の詳細な説明】
【技術分野】
【０００１】
本発明は、スピーカー装置における、ネットワーク電子部品及びコネクタ端子の固定構造に関する。
【背景技術】
【０００２】
従来より、スピーカー装置には、チョークコイル、コンデンサ、抵抗などのネットワーク電子部品（「ネットワーク素子」とも称される）や、スピーカー装置用のコネクタ端子などのスピーカー装置用構成部品が設けられることがある。
【０００３】
かかるスピーカー装置用構成部品のうち、ネットワーク電子部品は、スピーカー装置へ入力される音声信号を制御、例えばアンプ側から供給される音声信号を所定の信号に変換するなどの役割を有する。特許文献１には、このようなネットワーク電子部品をスピーカフレームの外部または内部に取り付け、必要に応じてネットワーク電子部品を保護カバーにより覆う構造を有するスピーカーユニットが開示されている。
【０００４】
一方、スピーカー装置用のコネクタ端子は、一対のプラス及びマイナスの配線を通じてボイスコイルと電気的に接続されると共に、アンプの音声信号供給用のコネクタ端子と嵌合して電気的に接続される。このため、スピーカー装置用のコネクタ端子は、アンプ側から出力された音声信号をボイスコイル側へ供給する中継端子として機能する。
【０００５】
【特許文献１】特開２００２−１４２２８４号公報
【発明の開示】
【発明が解決しようとする課題】
【０００６】
上記の特許文献１に記載のスピーカーユニットでは、ネットワーク電子部品をスピーカフレームの外部または内部に取り付けるようにしているが、スピーカーユニットの種類によっては、ネットワーク電子部品を必要としない場合もある。したがって、スピーカフレームにネットワーク電子部品を搭載するための構造を設けるのは、スピーカフレームが汎用性のある構成部品として機能するという点からすると望ましくない。
【０００７】
また、かかるスピーカーユニットには、特許文献１の図１（ａ）に示されるように、スピーカ装置用端子と接続された配線が設けられているが、この配線の先端にスピーカー装置用コネクタ端子を設けるようにした場合、そのスピーカー装置用コネクタ端子を固定する為の専用部品を設ける必要が生じる。
【０００８】
したがって、かかるスピーカーユニットにおいて、ネットワーク電子部品及びスピーカー装置用コネクタ端子の両方を設ける必要が有る場合、それらの部品を搭載若しくは固定する構造を当該部品毎に設ける必要があり、部品点数や工数が増加し、スピーカー装置用構成部品の汎用性の低下などを招くという問題がある。
【０００９】
本発明が解決しようとする課題としては、上記のようなものが例として挙げられる。本発明は、部品点数及び工数の増加等を伴うことなく、ネットワーク電子部品及びスピーカー装置用コネクタ端子を固定可能なスピーカー装置用構成部品を有するスピーカー装置を提供することを課題とする。
【課題を解決するための手段】
【００１０】
請求項１に記載の発明は、スピーカー装置であって、スピーカーユニットと、前記スピーカーユニットに取り付けられるスピーカー装置用構成部品を備え、前記スピーカー装置用構成部品は、ネットワーク電子部品を固定するネットワーク電子部品固定部と、スピーカー装置用のコネクタ端子を固定するコネクタ端子固定部と、を備えていることを特徴とする。
【発明を実施するための最良の形態】
【００１１】
本発明の１つの実施形態では、スピーカー装置は、スピーカーユニットと、前記スピーカーユニットに取り付けられるスピーカー装置用構成部品を備え、前記スピーカー装置用構成部品は、ネットワーク電子部品を固定するネットワーク電子部品固定部と、スピーカー装置用のコネクタ端子を固定するコネクタ端子固定部と、を備えている。
【００１２】
ここで、一般的なスピーカー装置では、ネットワーク電子部品の一例としてのコンデンサが、スピーカー装置用端子基板のプラス及びマイナスの端子用金具に直接的に接続された状態で、当該スピーカー装置用端子基板に固定されることがある。この場合、スピーカー装置に対するコンデンサの搭載位置がスピーカー装置用端子基板の近傍位置に制限されてしまうため、スピーカー装置に対するコンデンサの搭載自由度が低くなってしまうという問題がある。また、車両搭載用のスピーカー装置の場合、当該スピーカー装置は車両の限られた狭いスペース（例えばインナーパネルなど）に搭載されるため、サイズの大きなコンデンサをスピーカー装置へ搭載するのが困難であるといった問題がある。
【００１３】
また、一般的なスピーカー装置では、コネクタ端子はコネクタ取付用ブラケットなどの専用部品を介してスピーカー装置へ取り付けられ固定される。このため、コネクタ端子を固定するための専用部品たるコネクタ取付用ブラケットを設ける必要があるため、その分、スピーカー装置の部品点数が増加してしまうという問題がある。
【００１４】
特に、そのようなスピーカー装置において、コンデンサなどのネットワーク電子部品及びコネクタ端子の両方を必要とする場合には、コンデンサを固定するコンデンサ固定用専用部品及びコネクタ端子を固定するコネクタ端子固定用専用部品の両方が必要となり、部品点数が増加すると共に、その分、工数も増加してしまうという問題がある。
【００１５】
この点、このスピーカー装置は、スピーカーユニットと、そのスピーカーユニットに取り付けられるスピーカー装置用構成部品を備え、スピーカー装置用構成部品は、コンデンサ、抵抗、コイルなどに代表されるネットワーク電子部品を固定するネットワーク電子部品固定部と、アンプ側及びボイスコイル側と夫々電気的に接続される、スピーカー装置用のコネクタ端子を固定するコネクタ端子固定部と、を備えている。
【００１６】
よって、上記の一般的なスピーカー装置のように、コンデンサなどのネットワーク電子部品及びコネクタ端子の各々を別々の専用部品を用いてスピーカーユニットに固定するのではなく、コンデンサなどのネットワーク電子部品及びコネクタ端子の両方を１つの専用部品、即ちスピーカー装置用構成部品を用いてスピーカーユニットに固定することができる。よって、上記の一般的なスピーカー装置と比較して、スピーカー装置の部品点数を削減でき、これに伴い、部品コストの低減及び工数の削減を図ることができる。
【００１７】
また、このスピーカー装置では、スピーカー装置用構成部品に対するネットワーク電子部品固定部及びコネクタ端子固定部の設定位置に限定はない。そのため、スピーカー装置の仕様等に応じて、ネットワーク電子部品固定部及びコネクタ端子固定部の各々を、スピーカー装置用構成部品の適切な位置、例えばスペースの取れる位置に自由に設定することが可能である。これにより、スピーカーユニットに対するネットワーク電子部品及びコネクタ端子の搭載自由度を向上させることができる。よって、サイズの大きな、ネットワーク電子部品及びコネクタ端子も搭載することが可能となる。
【００１８】
上記のスピーカー装置の一つの態様では、前記スピーカー装置用構成部品は、例えば、ボイスコイル側と電気的に接続される、スピーカー装置用端子、ネットワーク電子部品及びコネクタ端子を繋ぐスピーカー装置用の配線を固定する配線固定部を有する。好適な例では、前記スピーカーユニットは、ボイスコイルと電気的に接続されたスピーカー装置用端子を有し、前記配線固定部は、前記スピーカー装置用端子、前記ネットワーク電子部品固定部及び前記コネクタ端子固定部の各々の近傍位置に設けられている。このため、スピーカー装置用の配線を配線固定部に固定することにより、スピーカー装置の電気回路構成部分の省スペース化を実現することができる。
【００１９】
上記のスピーカー装置の他の態様では、前記スピーカーユニットは、当該スピーカーユニットの周方向に対する前記スピーカー装置用構成部品の位置出しを行う機能を有する異型磁性体を含む磁気回路を備え、前記スピーカー装置用構成部品の内側部分は、前記異型磁性体と嵌合する形状に形成されている。
【００２０】
この態様では、スピーカーユニットは、当該スピーカーユニットの周方向に対するスピーカー装置用構成部品の位置出しを行う機能を有する異型磁性体（例えば、異型プレートなど）を含む磁気回路を備えている。ここで、異型磁性体とは、環状の磁性体に対して異型の形状を有する磁性体である。好適な例では、異型磁性体の外形形状は、円形形状に複数の半円形状を結合させた形状を有しているのが好ましい。そして、スピーカー装置用構成部品の内側部分は、異型磁性体と嵌合する形状に形成されている。このため、スピーカー装置用構成部品をスピーカーユニットに取り付ける際に、異型磁性体の形状が位置出し用のガイド（オフセットライン）となり、スピーカーユニットの周方向に対するスピーカー装置用構成部品の位置出しを容易に行うことが可能となる。
【００２１】
好適な例では、前記スピーカー装置用構成部品は、前記異型磁性体と前記内側部分とが嵌合した状態で放音側と逆側に位置する前記磁気回路の少なくとも一部を覆う位置に配置され、前記スピーカーユニットに取り付けられているのが好ましい。
【実施例】
【００２２】
以下、図面を参照して本発明の好適な実施例について説明する。
【００２３】
［スピーカー装置の構成］
図１は、本発明の実施例に係るスピーカー装置用構成部品の一例としてのスピーカー装置用ブラケット１１を含むスピーカー装置１００を、その中心軸Ｌ１を通る平面で切断したときの断面図を示す。図２は、図１に示されるスピーカー装置１００を、放音側と逆側から観察したときの当該スピーカー装置１００の背面側の斜視図を示す。
【００２４】
スピーカー装置１００は、図１に示すように、ヨーク１、マグネット２及び異型プレート３を含む磁気回路３０と、フレーム４、ボイスコイルボビン５、ボイスコイル６、ダンパー７、振動板８、エッジ９及びキャップ１０を含む振動系部材３１と、その他の構成部材と、を有するスピーカーユニット８０と、スピーカーユニット８０に取り付けられるスピーカー装置用ブラケット１１と、を備えて構成される。
【００２５】
ここで、その他の構成部材としては、パッキン１６及び１７、クッション部材１８、プラス端子用金具２２及びマイナス端子用金具２３が取り付けられた端子基板２１を有するスピーカー装置用端子２０、アンプ側の出力配線と接続されたコネクタ端子（図示略）等と接続されるスピーカー装置用のコネクタ端子１３、図示しないプラス及びマイナスの各端子を有するコンデンサ（ネットワーク電子部品）１４、コンデンサ接続用のプラス端子用金具１４ｃ及びマイナス端子用金具１４ｄ、並びに、雄ねじ１５及び１９などが挙げられる。
【００２６】
まず、スピーカーユニット８０の構成について説明する。なお、本発明では、スピーカーユニット８０の構成や駆動方式に限定はない。
【００２７】
磁気回路３０の構成は次の通りである。
【００２８】
本磁気回路３０は、外磁型の磁気回路として構成されている。
【００２９】
ヨーク１は、略円柱状の形状をなすポール部１ａと、そのポール部１ａの外周壁の下端部から外側に且つ斜め上方に延在するように形成されたフランジ部１ｂと、を有する。ポール部１ａには、雄ねじ１５と嵌合する雌ねじ（ねじ孔）１ａｂが形成されている。
【００３０】
マグネット２は、略環状の形状をなし、フランジ部１ｂ上に取り付けられている。マグネット２上には異型プレート３が取り付けられている。異型プレート３は、環状のプレートに対して異型の形状を有する。本例では、異型プレート３の外形形状は、円形形状に複数の半円形状を結合させた形状を有し、スピーカーユニット８０の周方向（図２の矢印Ｙ１０方向）に対するスピーカー装置用ブラケット１１の位置出しを行う役割を有する。また、異型プレート３の上面には、当該異型プレート３に対してフレーム４をカシメて固定する役割を有する円柱状の突起部３ａが設けられている。異型プレート３の内周壁とポール部１ａの外周壁との間隙には、マグネット２の磁束が集中する磁気ギャップ３２が形成されている。
【００３１】
次に、振動系部材３１の構成は次の通りである。
【００３２】
フレーム４は、様々なスピーカー装置用構成部材を支持する機能を有する。フレーム４は、略椀状の形状及び階段状の断面形状をなし、その下端側に設けられた第１段部４ａと、当該第１段部４ａの上側に且つ外側に設けられた第２段部４ｂと、当該第２段部４ｂの上側に且つ外側に設けられた第３段部４ｃと、を有している。第１段部４ａには、異型プレート３の突起部３ａと嵌合する開口４ａｂが設けられている。第３段部４ｃには、雄ねじ１９を挿通するための開口４ｃａが設けられている。フレーム４は、その要素である開口４ａｂ内に突起部３ａが挿入され、第１段部４ａと異型プレート３とが接触した状態で異型プレート３上に取り付けられている。
【００３３】
ボイスコイルボビン５は、略円筒状の形状をなしている。ボイスコイルボビン５の下端部付近は、ヨーク１のポール部１ａの上端部付近を覆っている。これにより、ボイスコイルボビン５の内周壁の下端部付近は、ポール部１ａの外周壁の上端部付近と対向している一方、ボイスコイルボビン５の外周壁の下端部付近は、異型プレート３の内周壁及びマグネット２の内周壁の一部と夫々対向している。
【００３４】
ボイスコイル６は、ボイスコイルボビン５の外周壁の下端部付近に巻かれており、ボイスコイル６の外周壁は異型プレート３の内周壁と対向している。ボイスコイル６は、１つの配線からなり、図示しないプラス及びマイナスのリード線を夫々有している。プラス側のリード線はＬ（又はＲ）チャンネル信号の入力配線であり、マイナス側のリード線はグランド（ＧＮＤ：接地）信号の入力配線である。プラス及びマイナスの各リード線は、それぞれ、プラスの錦糸線４２及びマイナスの錦糸線４３に半田（図２のハッチング部分、以下同様）を通じて夫々電気的に接続されていると共に、プラスの錦糸線４２及びマイナスの錦糸線４３は、それぞれ、フレーム４の第１段部４ａ付近に設けられたスピーカー装置用端子２０の端子基板２１に取り付けられたプラス端子用金具２２及びマイナス端子用金具２３に半田を通じて電気的に接続されている。プラス端子用金具２２は、半田及び配線を通じてコネクタ端子１３及びコンデンサ１４のプラス端子と接続されたプラス端子用金具１４ｃに電気的に接続されている一方、マイナス端子用金具２３は、半田及び配線を通じてコネクタ端子１３に電気的に接続されている。また、コンデンサ接続用のマイナス端子用金具１４ｄは、半田及び配線を通じてコネクタ端子１３に接続されている。これにより、ボイスコイル６には、コンデンサ１４等を介してアンプ側から１チャンネル分の信号及び電力（音声電流）が入力される。
【００３５】
ダンパー７は、略環状の形状をなしている。ダンパー７の外周部は、フレーム４の第１段部４ａに取り付けられている一方、ダンパー７の内周縁部は、ボイスコイルボビン５の外周壁の上端部付近に取り付けられている。これにより、ダンパー７は、ボイスコイルボビン５等を弾性的に支持する役割を有する。
【００３６】
振動板８は、コーン状の形状を有し、入力信号に応じた音波を放射する機能を有する。振動板８の内周縁部は、ボイスコイルボビン５の外周壁の上端部に取り付けられている。振動板８の外周縁部には、略Ω状の断面形状を有し、ゴムなどの材料により形成されたエッジ９が取り付けられている。エッジ９の外周縁部は、環状の形状を有し、樹脂材料等よりなるパッキン１６を介してフレーム４の第３段部４ｃ上に取り付けられている。
【００３７】
キャップ１０は、ドーム状の形状をなし、その外周端部付近は、放音側となる振動板８の内周部の放音面上に取り付けられている。このため、キャップ１０は、放音側から水分や異物などが磁気回路３０側に侵入するのを防止する役割を果たす。
【００３８】
パッキン１７は、略環状の形状を有し、樹脂材料等により形成されている。パッキン１７は、フレーム４の第３段部４ｃに設けられた開口４ｃａに対応する位置に雌ねじ（ねじ孔）１７ａを有する。雄ねじ１９は、フレーム４の第３段部４ｃの背面側から開口４ｃａに挿通されてパッキン１７の雌ねじ１７ａと嵌合しており、これにより、パッキン１７はフレーム４の第３段部４ｃ上に取り付けられている。
【００３９】
クッション部材１８は、棒状の形状をなし、環状の形状に変形された状態でパッキン１７上に取り付けられている。
【００４０】
スピーカー装置用ブラケット１１は、樹脂材料等により形成され、主として、コネクタ端子１３を固定するコネクタ端子固定部１１ｄと、コンデンサ１４を固定するコンデンサ固定部１１ｃと、を有する。そして、スピーカー装置用ブラケット１１は、スピーカーユニット８０において、コネクタ端子１３及びコンデンサ１４を保持した状態で、放音側と逆側に位置する磁気回路３０の少なくとも一部（ヨーク１を含む）を覆う位置に取り付けられている。
【００４１】
（スピーカー装置用ブラケットの構成）
次に、図１乃至図３を参照して、本発明の実施例に係るスピーカー装置用構成部品の一例としてのスピーカー装置用ブラケット１１の構成等について説明する。
【００４２】
図３（ａ）は、図１の矢印Ｙ１方向と逆側から観察したスピーカー装置用ブラケット１１の正面図を示す。図３（ｂ）は、図１の矢印Ｙ１方向から観察したスピーカー装置用ブラケット１１の背面図を示す。
【００４３】
スピーカー装置用ブラケット１１は、スピーカーユニット８０の周方向（図２の矢印Ｙ１０方向）に対するスピーカー装置用ブラケット１１の位置出しを行う役割を有する位置出部１１ａと、位置出部１１ａの中心を跨ぐように設けられ、且つ相互に対向する側の位置出部１１ａの部分と繋がる形状に形成されると共にヨーク１の一部を覆う形状に形成され、ヨーク１に固定されるヨーク固定部１１ｂと、位置出部１１ａの外側に設けられ、コンデンサ１４を固定するコンデンサ固定部１１ｃと、位置出部１１ａの外側に設けられ、コネクタ端子１３を固定するコネクタ端子固定部１１ｄと、コンデンサ固定部１１ｃとコネクタ端子固定部１１ｄとの間に設けられ、スピーカー装置１００の各種配線を固定する配線固定部１１ｅ（破線にて囲まれる部分）と、を備えて構成される。ここで、スピーカー装置１００の各種配線としては、コンデンサ１４、スピーカー装置用端子２０及びコネクタ端子１３の各々と電気的に接続される配線などが挙げられる。
【００４４】
位置出部１１ａは、略環状の形状をなし、その内側部分１１ａｂの形状は異型プレート３の外形と嵌合する形状に形成されている。即ち、位置出部１１ａの内側部分１１ａｂの形状は、円形形状に複数の半円形状を結合させた形状をくり貫いた形状を有する。つまり、位置出部１１ａの内側部分１１ａｂは、異型プレート３のオフセットラインとなっている。
【００４５】
ヨーク固定部１１ｂの中央には、雄ねじ１５を挿通するための挿通孔１１ｂａが設けられている。ヨーク固定部１１ｂは、放音側と逆側に位置するヨーク１の背面の一部を覆う位置に配置される。そして、ヨーク固定部１１ｂは、その背面側から挿通孔１１ｂａに雄ねじ１５が挿通され、その雄ねじ１５がヨーク１の雌ねじ１ａｂと嵌合することによりヨーク１に取り付けられる。これにより、スピーカー装置用ブラケット１１を、放音側と逆側に位置するヨーク１の背面側に取り付けることができる。
【００４６】
コンデンサ固定部１１ｃは、コンデンサ１４を支持するコンデンサ支持部１１ｃａと、
アーチ状の形状を有し、コンデンサ１４を挿入する側に且つコンデンサ支持部の一端側の近傍位置に設けられ、コンデンサ１４の浮き上がりを防止して当該コンデンサ１４の位置を規制するコンデンサ位置規制部１１ｃｂと、コンデンサ１４を挿入する側と逆側に且つコンデンサ支持部の他端側の近傍位置に設けられ、コンデンサ接続用のプラス端子用金具１４ｃ及びマイナス端子用金具１４ｄが挿入される挿入孔１１ｃｄを有し、プラス端子用金具１４ｃ及びマイナス端子用金具１４ｄが取り付けられるコンデンサ接続用端子取付部１１ｃｃと、プラス端子用金具１４ｃとマイナス端子用金具１４ｄとの間に設けられ、その両端子用金具を隔てる形状に形成され、当該両端子用金具同士の短絡を防止する短絡防止用リブ１１ｃｅと、を有する。
【００４７】
ここで、プラス端子用金具１４ｃ及びマイナス端子用金具１４ｄは、それぞれ、対応する挿入孔１１ｃｄに挿入された状態でコンデンサ接続用端子取付部１１ｃｃに取り付けられている。
【００４８】
コンデンサ１４は、図１及び図２に示すように、円柱状の形状を有し、コンデンサ支持部１１ｃａに支持されていると共に、コンデンサ位置規制部１１ｃｂにより放音側と逆側への浮き上がりが阻止された状態でコンデンサ固定部１１ｃに位置規制された状態により固定されている。コンデンサ１４のプラス端子及びマイナス端子（図示略）は、それぞれ、コンデンサ接続用のプラス端子用金具１４ｃ及びマイナス端子用金具１４ｄに半田を介して接続されている。プラス端子用金具１４と、マイナス端子用金具１４ｄの間には、隔壁部材としての短絡防止用リブ１１ｃｅが設けられ、その両端子用金具同士の短絡防止が図られている。なお、本例に示される、コンデンサ１４を固定するコンデンサ固定部１１ｃの構造は一例であり、本発明では、コンデンサ１４を固定するコンデンサ固定部１１ｃの固定構造は周知の各種の構造を採用することが可能である。また、本発明では、スピーカー装置用ブラケット１１に対するコンデンサ固定部１１ｃの設定位置に限定はなく、スピーカー装置１００の仕様等に応じて、コンデンサ固定部１１ｃを、スピーカー装置用ブラケット１１の適切な位置、例えばスペースを取れる位置へ自由に設定することが可能である。
【００４９】
コネクタ端子固定部１１ｄは、コネクタ端子１３を挟持する形状を有し、コネクタ端子１３の一側面と接触する第１支持部１１ｄａと、第１支持部１１ｄａと一定の間隔をおいて対向するように設けられた第２支持部１１ｄｃと、第１支持部１１ｄａ及び第２支持部１１ｄｃの各一端側に設けられ、その両者を繋ぐ第３支持部１１ｄｂと、第３支持部１１ｄｂと対向する位置に且つ第１支持部１１ｄａの他端側に設けられた第４支持部１１ｄｄと、を有する。コネクタ端子１３は、図１及び図２に示すように、略角型の形状を有し、第１支持部１１ｄａと、第２支持部１１ｄｃと、第３支持部１１ｄｂと、第４支持部１１ｄｄとにより挟持された状態でコネクタ端子固定部１１ｄに固定されている。なお、本例に示される、コネクタ端子１３を固定するコネクタ端子固定部１１ｄの構造は一例であり、本発明では、コネクタ端子１３を固定するコネクタ端子固定部１１ｄの固定構造は周知の各種の構造を採用することが可能である。また、本発明では、スピーカー装置用ブラケット１１に対するコネクタ端子固定部１１ｄの設定位置に限定はなく、スピーカー装置１００の仕様等に応じて、コネクタ端子固定部１１ｄを、スピーカー装置用ブラケット１１の適切な位置、例えばスペースを取れる位置へ自由に設定することが可能である。
【００５０】
配線固定部１１ｅは、放音側と逆側の位置出部１１ａの所定位置から突出するように設けられ、上記したスピーカー装置１００の各種配線を挟持する複数の挟持部１１ｅａを有する。本例では、配線固定部１１ｅは、コンデンサ固定部１１ｃ及びコネクタ端子固定部１１ｄの各々の近傍位置に設けられている。また、配線固定部１１ｅは、スピーカー装置用ブラケット１１をスピーカーユニット８０へ取り付けたときに、スピーカー装置用端子２０の近傍に対応する位置に設けられている。そして、当該各種配線は、図２に示すように、配線固定部１１ｅに沿って引き回され、その要素である挟持部１１ｅａに挟持された状態で固定されている。
【００５１】
次に、本発明の実施例に係るスピーカー装置用ブラケット１１を有するスピーカー装置１００の特有の作用効果について説明する。
【００５２】
一般的なスピーカー装置では、ネットワーク電子部品の一例としてのコンデンサが、スピーカー装置用端子基板のプラス及びマイナスの端子用金具に直接的に接続された状態で、当該スピーカー装置用端子基板に固定されることがある。この場合、スピーカー装置に対するコンデンサの搭載位置がスピーカー装置用端子基板の近傍位置に制限されてしまうため、スピーカー装置に対するコンデンサの搭載自由度が低くなってしまうという問題がある。また、車両搭載用のスピーカー装置の場合、当該スピーカー装置は車両の限られた狭いスペース（例えばインナーパネルなど）に搭載されるため、サイズの大きなコンデンサをスピーカー装置へ搭載するのが困難であるといった問題がある。
【００５３】
また、一般的なスピーカー装置では、コネクタ端子はコネクタ取付用ブラケットなどの専用部品を介してスピーカー装置へ取り付けられ固定される。このため、コネクタ端子を固定するための専用部品たるコネクタ取付用ブラケットを設ける必要があるため、その分、スピーカー装置の部品点数が増加してしまうという問題がある。
【００５４】
特に、そのようなスピーカー装置において、コンデンサなどのネットワーク電子部品及びコネクタ端子の両方を必要とする場合には、コンデンサを固定するコンデンサ固定用専用部品及びコネクタ端子を固定するコネクタ端子固定用専用部品の両方が必要となり、部品点数が増加すると共に、その分、工数も増加してしまうという問題がある。
【００５５】
この点、本実施例のスピーカー装置１００は、スピーカーユニット８０と、スピーカーユニット８０に取り付けられるスピーカー装置用ブラケット（スピーカー装置用構成部品）１１を備え、スピーカー装置用ブラケット１１は、ネットワーク電子部品の一例としてのコンデンサ１４を固定するコンデンサ固定部（ネットワーク電子部品固定部）１１ｃと、スピーカー装置用のコネクタ端子１３を固定するコネクタ端子固定部１１ｄと、を備えている。
【００５６】
よって、上記の一般的なスピーカー装置のように、コンデンサ１４などのネットワーク電子部品及びコネクタ端子１３の各々を別々の専用部品を用いてスピーカーユニット８０に固定するのではなく、コンデンサ１４などのネットワーク電子部品及びコネクタ端子１３の両方を１つの専用部品、即ちスピーカー装置用ブラケット１１を用いてスピーカーユニット８０に固定することができる。よって、上記の一般的なスピーカー装置と比較して、スピーカー装置１００の部品点数を削減でき、これに伴い、部品コストの低減及び工数の削減を図ることができる。
【００５７】
また、本実施例では、仕様等に応じて、コンデンサ固定部１１ｃ及びコネクタ端子固定部１１ｄの各々を、スピーカー装置用ブラケット１１の適切な位置、例えばスペースの取れる位置に自由に設定することが可能であるため、スピーカーユニット８０に対する、コンデンサ１４及びコネクタ端子１３の搭載自由度を向上させることができる。よって、サイズの大きな、コンデンサ１４及びコネクタ端子１３も搭載することが可能となる。
【００５８】
また、本実施例に係るスピーカー装置用ブラケット１１は、スピーカー装置１００の各種配線を固定する配線固定部１１ｅを有する。本例では、配線固定部１１ｅは、スピーカー装置用端子２０、コンデンサ固定部１１ｃ及びコネクタ端子固定部１１ｄの各々の近傍位置に設けられている。このため、スピーカー装置１００の各種配線を配線固定部１１ｅに固定することにより、スピーカー装置１００の電気回路構成部分の省スペース化を実現することができる。
【００５９】
また、本実施例に係るスピーカーユニット８０は、当該スピーカーユニット８０の周方向（図２のＹ１０方向）に対するスピーカー装置用ブラケット１１の位置出しを行う機能を有する異型プレート（異型磁性体）３を含む磁気回路３０を備えている。ここで、異型プレート３とは、環状のプレートに対して異型の形状を有するプレートである。好適な例では、異型プレート３の外形形状は、円形形状に複数の半円形状を結合させた形状を有しているのが好ましい。そして、スピーカー装置用ブラケット１１の内側部分１１ａｂは、異型プレート３と嵌合する形状に形成されている。このため、スピーカー装置用ブラケット１１をスピーカーユニット８０に取り付ける際に、異型プレート３の形状が位置出し用のガイド（オフセットライン）となり、スピーカーユニット８０の周方向に対するスピーカー装置用ブラケット１１の位置出しを容易に行うことが可能となる。なお、本例では、スピーカー装置用ブラケット１１は、異型プレート３とスピーカー装置用ブラケット１１の内側部分１１ａｂとが嵌合した状態で放音側と逆側に位置する磁気回路３０の少なくとも一部を覆う位置に配置され、スピーカーユニット８０に取り付けられている。
【００６０】
[変形例]
上記の実施例では、ネットワーク電子部品の一例として、コンデンサ１４を用いた場合について説明したが、本発明において、ネットワーク電子部品には、抵抗、コイルなどの各種の電子部品が含まれる。よって、これらの各種の電子部品の固定が必要な場合、本発明では、これらの各種の電子部品に対応するネットワーク電子部品固定部についてもスピーカー装置用ブラケッ１１に設定することが可能である。
【００６１】
また、上記の実施例では、ネットワーク電子部品やコネクタ端子を固定するスピーカー装置用構成部品として、スピーカー装置用ブラケット１１を用いたが、これに限らず、本発明では、かかる機能を有するスピーカー装置用構成部品としては、スピーカーユニット８０を支持するフレーム、或いは、スピーカーユニット８０を収容するスピーカーボックス（筐体）などであっても構わない。
【００６２】
また、本発明では、その趣旨を逸脱しない範囲において、種々の変形をすることが可能である。
【図面の簡単な説明】
【００６３】
【図１】本発明の実施例に係るスピーカー装置用ブラケットを有するスピーカー装置の断面図を示す。
【図２】本実施例に係るスピーカー装置用ブラケットを有するスピーカー装置を背面側から観察した斜視図を示す。
【図３】本実施例に係るスピーカー装置用ブラケットの正面図及び背面図を示す。
【符号の説明】
【００６４】
１  ヨーク
３  異型プレート
１１  スピーカー装置用ブラケット
１１ａ  位置出部
１１ａｂ  内側部分
１１ｃ  コンデンサ固定部
１１ｄ  コネクタ端子固定部
１１ｅ  配線固定部
３０  磁気回路
３１  振動系部材
８０  スピーカーユニット
１００  スピーカー装置
【図１】
2008005372.tif 000003
【図２】
2008005372.tif 000004
【図３】
2008005372.tif 000005